(57)【要約】本発明は信号伝送制御方法、装置、電子デバイス、プログラム及び記録媒体に関し、無線接続の確立を要求する端末が存在するか否かを検出するステップと、存在しない場合、ビーコンフレームの送信機能をオフ状態に切り替え、かつ、プローブ要求フレームに対する受信を維持するステップとを含む。本発明の技術方を通じて、ビーコンフレームの送出を減少させ、ＡＰの消費電力を削減することができる。【選択図】図１
2016536950.tif 000002
【特許請求の範囲】
【請求項１】
無線接続の確立を要求する端末が存在するか否かを検出するステップと、
存在しない場合、ビーコンフレームの送信機能をオフ状態に切り替え、かつ、プローブ要求フレームに対する受信を維持するステップとを含むことを特徴とする信号伝送制御方法。
【請求項２】
前記無線接続の確立を要求する端末が存在するか否かを検出するステップには、
予定時間の長さの連続する時間帯内において、無線接続の確立を要求する端末が存在するか否かを検出するステップが含まれることを特徴とする請求項１に記載の信号伝送制御方法。
【請求項３】
前記方法は更に、
前記プローブ要求フレームを受信したとき、前記プローブ要求フレームを送信する送信端末と無線接続を確立したことがあるか否かを判断するステップと、
確立したことがある場合、前記送信機能をオンの状態に切り替えるステップとを含むことを特徴とする請求項１に記載の信号伝送制御方法。
【請求項４】
前記プローブ要求フレームを送信する送信端末と無線接続を確立したことがあるか否かを判断するステップには、
前記プローブ要求フレームを送信する送信端末の識別情報を取得するステップと、
予め設定された履歴データベースの中から、前記送信端末の識別情報とマッチングする過去の接続デバイスが存在するか否かを検索するステップと、
存在する場合、無線接続を確立したことがあると判定するステップが含まれることを特徴とする請求項３に記載の信号伝送制御方法。
【請求項５】
前記方法は更に、
確立したことがない場合、前記送信端末からプローブ要求フレームを受信した累計回数を記録するステップと、
前記累計回数が予定回数以上である場合、前記送信機能をオンの状態に切り替えるステップを含むことを特徴とする請求項３に記載の信号伝送制御方法。
【請求項６】
前記方法は更に、
前記送信端末と無線接続を確立したことがないとき、今回前記送信端末との無線接続を確立する動作が失敗した場合、前記送信端末の識別情報を予め設定されたブラックリストに加えるステップを含み、
前記送信機能の状態を切り替える動作は、受信した前記ブラックリストにマッチングする端末のプローブ要求フレームとは関係ないことを特徴とする請求項５に記載の信号伝送制御方法。
【請求項７】
無線接続の確立を要求する端末が存在するか否かを検出するための検出ユニットと、
検出した結果、存在しない場合、ビーコンフレームの送信機能をオフ状態に切り替え、かつ、プローブ要求フレームに対する受信を維持するための処理ユニットとを備えることを特徴とする信号伝送制御装置。
【請求項８】
前記検出ユニットは、
予定時間の長さの連続する時間帯内において、無線接続の確立を要求する端末が存在するか否かを検出するための検出サブユニットを有することを特徴とする請求項７に記載の信号伝送制御装置。
【請求項９】
前記装置は更に、
前記プローブ要求フレームを受信したとき、前記プローブ要求フレームを送信する送信端末と無線接続を確立したことがあるか否かを判断するための判断ユニットと、
判断した結果、確立したことがある場合、前記送信機能をオンの状態に切り替えるための第１切り替えユニットとを備えることを特徴とする請求項７に記載の信号伝送制御装置。
【請求項１０】
前記判断ユニットは、
前記プローブ要求フレームを送信する送信端末の識別情報を取得するための取得サブユニットと、
予め設定された履歴データベースの中から、前記送信端末の識別情報とマッチングする過去の接続デバイスが存在したか否かを検索するための検索サブユニットとを有し、
存在する場合、無線接続を確立したことがあると判定することを特徴とする請求項９に記載の信号伝送制御装置。
【請求項１１】
前記装置は更に、
前記判断した結果、確立したことがない場合、前記送信端末からプローブ要求フレームを受信した累計回数を記録するための記録ユニットと、
前記累計回数が予定回数以上である場合、前記送信機能をオンの状態に切り替えるための第２切り替えユニットとを備えることを特徴とする請求項９に記載の信号伝送制御装置。
【請求項１２】
前記装置は更に、
前記送信端末と無線接続を確立したことがないとき、今回前記送信端末との無線接続を確立する動作が失敗した場合、前記送信端末の識別情報を予め設定されたブラックリストに加えるための追加ユニットを備え、
前記送信機能の状態を切り替える動作は、受信した前記ブラックリストにマッチングする端末のプローブ要求フレームとは関係ないことを特徴とする請求項１１に記載の信号伝送制御装置。
【請求項１３】
プロセッサと、
プロセッサが実行可能な指令を記憶するためのメモリとを備え、
前記プロセッサは、
無線接続の確立を要求する端末が存在するか否かを検出し、
存在しない場合、ビーコンフレームの送信機能をオフ状態に切り替え、かつ、プローブ要求フレームに対する受信を維持するように構成されることを特徴とする電子デバイス。
【発明の詳細な説明】
【相互参照】
【０００１】
本願は出願番号が２０１４１０５５５６６８２であって、出願日が２０１４年１０月１７日である中国特許出願に基づき、優先権を主張し、当該中国特許出願の全ての内容は本願に援用される。
【技術分野】
【０００２】
本発明は通信技術分野に関わり、特に信号伝送制御方法及び装置、電子デバイスに関わる。
【背景技術】
【０００３】
ＡＰ（Ａｃｃｅｓｓ  Ｐｏｉｎｔ、アクセスポイント）は定期的に外部に向けてＢｅａｃｏｎ（ビーコン）信号を送出し、周辺のＳＴＡ（Ｓｔａｔｉｏｎ、ステーションまたは端末）が該Ｂｅａｃｏｎ信号をインターセプトすることによって、対応するＡＰが確立した無線ネットワークを発見するようにすることができる。該プロセスが即ち無線ネットワーク発見時の「受動的スキャン」プロセスである。
【０００４】
受動的スキャンのプロセスにおいて、ＳＴＡはＢｅａｃｏｎ信号をインターセプトする必要のみあり、能動的にプローブ信号を送信する必要がないため、ＳＴＡの消費電力を下げることができる。しかしながら、周辺に接続すべきＳＴＡが存在しない場合、Ｂｅａｃｏｎ信号の送出は無線リソースの無駄であることは明らかであり、またＡＰの消費電力の増加を招いてしまう。
【発明の概要】
【０００５】
本発明は、関連技術におけるビーコンフレーム（Ｂｅａｃｏｎ  Ｆｒａｍｅ）の送出によりＡＰの消費電力が高すぎになるという技術的な問題を解決するために、信号伝送制御方法及び装置、電子デバイスを提供する。
【０００６】
本発明の実施例の第１の態様によれば、
無線接続の確立を要求する端末が存在するか否かを検出するステップと、
存在しない場合、ビーコンフレームの送信機能をオフ状態に切り替え、かつ、プローブ要求フレームに対する受信を維持するステップとを含む信号伝送制御方法を提供する。
【０００７】
好ましく、前記無線接続の確立を要求する端末が存在するか否かを検出するステップには、
予定時間の長さの連続する時間帯内において、無線接続の確立を要求する端末が存在するか否かを検出するステップが含まれる。
【０００８】
好ましくは、
更に、前記プローブ要求フレームを受信したとき、前記プローブ要求フレームを送信する送信端末と無線接続を確立したことがあるか否かを判断するステップと、
確立したことがある場合、前記送信機能をオンの状態に切り替えるステップとを含む。
【０００９】
好ましくは、前記プローブ要求フレームを送信する送信端末と無線接続を確立したことがあるか否かを判断するステップには、
前記プローブ要求フレームを送信する送信端末の識別情報を取得するステップと、
予め設定された履歴データベースの中から、前記送信端末の識別情報とマッチングする過去の接続デバイスが存在するか否かを検索するステップと、
存在する場合、無線接続を確立したことがあると判定するステップが含まれる。
【００１０】
好ましくは、
更に、確立したことがない場合、前記送信端末からプローブ要求フレームを受信した累計回数を記録するステップと、
前記累計回数が予定回数以上である場合、前記送信機能をオンの状態に切り替えるステップを含む。
【００１１】
好ましくは、
更に、前記送信端末と無線接続を確立したことがないとき、今回前記送信端末との無線接続を確立する動作が失敗した場合、前記送信端末の識別情報を予め設定されたブラックリストに加えるステップを含み、
前記送信機能の状態を切り替える動作は、受信した前記ブラックリストにマッチングする端末のプローブ要求フレームとは関係ない。
【００１２】
本発明の実施例の第２の態様によれば、
無線接続の確立を要求する端末が存在するか否かを検出するための検出ユニットと、
検出した結果、存在しない場合、ビーコンフレームの送信機能をオフ状態に切り替え、かつ、プローブ要求フレームに対する受信を維持するための処理ユニットとを備える信号伝送制御装置を提供する。
【００１３】
好ましくは、前記検出ユニットは、
予定時間の長さの連続する時間帯内において、無線接続の確立を要求する端末が存在するか否かを検出するための検出サブユニットを有する信号伝送制御装置を提供する。
【００１４】
好ましくは、
更に、前記プローブ要求フレームを受信したとき、前記プローブ要求フレームを送信する送信端末と無線接続を確立したことがあるか否かを判断するための判断ユニットと、
判断した結果、確立したことがある場合、前記送信機能をオンの状態に切り替えるための第１切り替えユニットとを備える。
【００１５】
好ましくは、前記判断ユニットは、
前記プローブ要求フレームを送信する送信端末の識別情報を取得するための取得サブユニットと、
予め設定された履歴データベースの中から、前記送信端末の識別情報とマッチングする過去の接続デバイスが存在したか否かを検索するための検索サブユニットとを有し、
存在する場合、無線接続を確立したことがあると判定する。
【００１６】
好ましくは、
更に、前記判断した結果、確立したことがない場合、前記送信端末からプローブ要求フレームを受信した累計回数を記録するための記録ユニットと、
前記累計回数が予定回数以上である場合、前記送信機能をオンの状態に切り替えるための第２切り替えユニットとを備える。
【００１７】
好ましくは、
更に、前記送信端末と無線接続を確立したことがないとき、今回前記送信端末との無線接続を確立する動作が失敗した場合、前記送信端末の識別情報を予め設定されたブラックリストに加えるための追加ユニットを備え、
前記送信機能の状態を切り替える動作は、受信した前記ブラックリストにマッチングする端末のプローブ要求フレームとは関係ない。
【００１８】
本発明の実施例の第３の態様によれば、
プロセッサと、
プロセッサが実行可能な指令を記憶するためのメモリとを備え、
前記プロセッサは、
無線接続の確立を要求する端末が存在するか否かを検出し、
存在しない場合、ビーコンフレームの送信機能をオフ状態に切り替え、かつ、プローブ要求フレームに対する受信を維持するように構成される電子デバイスを提供する。
【００１９】
本発明の実施例が提供する技術案は下記のような有益な効果を含むことができる。
【００２０】
本発明はＡＰ周辺のＳＴＡ（端末）の無線接続に対する要求を検出することを通じて、無線接続を確立する要求がない場合、ビーコンフレーム信号の送信を停止することで、ＡＰが「休眠」状態になるようにし、リソースの無駄をなくし、ＡＰの消費電力の削減に役立つことができる。同時に、本発明はプローブ要求フレームに対する受信を維持することで、ＡＰが「休眠」状態であっても周辺ＳＴＡの要求に対する検出と判断を維持でき、ＳＴＡの正常な無線接続に影響を及ぼさないようにした。
【００２１】
また、上記の一般的な説明及び以下の詳細な説明は単なる例示及び解釈に過ぎず、本発明を限定するものではないことを理解すべきである。
【図面の簡単な説明】
【００２２】
ここで、図面は明細書に取り込まれて明細書の一部を構成し、本発明に合致する実施例を示し、また、明細書と共に本発明の原理の解釈に用いられる。
【００２３】
【図１】一つの例示的な実施例にかかる信号伝送制御方法のフローチャートである。
【図２】一つの例示的な実施例にかかる他の一つの信号伝送制御方法のフローチャートである。
【図３】一つの例示的な実施例にかかる他の一つの信号伝送制御方法のフローチャートである。
【図４】一つの例示的な実施例にかかる他の一つの信号伝送制御方法のフローチャートである。
【図５】一つの例示的な実施例にかかる信号伝送制御装置のブロック図である。
【図６】一つの例示的な実施例にかかる他の一つの信号伝送制御装置のブロック図である。
【図７】一つの例示的な実施例にかかる他の一つの信号伝送制御装置のブロック図である。
【図８】一つの例示的な実施例にかかる他の一つの信号伝送制御装置のブロック図である。
【図９】一つの例示的な実施例にかかる他の一つの信号伝送制御装置のブロック図である。
【図１０】一つの例示的な実施例にかかる他の一つの信号伝送制御装置のブロック図である。
【図１１】一つの例示的な実施例にかかる信号伝送制御に用いられる装置の構成の説明図である。
【発明を実施するための形態】
【００２４】
ここで例示的な実施例について詳細に説明を行うが、その例示は図面において示されている。以下の説明が図面に関する場合、特に示さない限り、異なる図面の中の同一の数字は同一又は類似の要素を表す。また、以下の例示的な実施例で説明する実施形態は、本発明と一致する全ての実施形態を代表するものではなく、これらは特許請求の範囲において詳述した、本発明の一部の態様と一致する装置及び方法の例に過ぎない。
【００２５】
図１は一つの例示的な実施例にかかる信号伝送制御方法のフローチャートである。図１に示すように、該方法はＡＰに使われ、以下のようなステップを含む。
【００２６】
ステップ１０２において、無線接続の確立を要求する端末が存在するか否かを検出する。
【００２７】
本実施例において、ＡＰは、無線インターネットをコンパイル（ｃｏｍｐｉｌｅ）して無線ネットワークカバレッジに転換することのみに使用され、無線ネットワーク環境において応用される「スイッチ」に相当する、単純型ＡＰであってもよく、または、ＡＰは拡張型ＡＰ、即ち無線ルータであってもよい。ここで、ＡＰは独立したデバイスであってもよく、または、例えばスマートフォンに集積された「ホットスポット」機能を有するＷＩＦＩ（Ｗｉｄｅｌｙ  Ｆｉｄｅｌｉｔｙ）モジュールのような、他の設備に集積された機能モジュールであってもよい。
【００２８】
本実施例において、例示的な実施例として、端末から送信されたプローブ要求（Ｐｒｏｂｅ  Ｒｅｑｕｅｓｔ）フレームを受信したとき、該端末が無線接続の確立を要求していると見なすことができる。当然ながら、接続確立への端末の意図を確定するためのその他の方法も本発明の技術方案に応用することができる。
【００２９】
ステップ１０４において、存在しない場合、ビーコンフレームの送信機能をオフ状態に切り替え、かつ、プローブ要求フレームに対する受信を維持する。
【００３０】
本実施例において、例示的な実施例として、「無線接続の確立を要求する端末が存在するか否か」のみについて判断することができ、存在しない場合、ビーコン（Ｂｅａｃｏｎ）フレームの送信機能をオフ状態に切り替える。また、他の一つの例示的な実施例として、同時に「無線接続の確立を要求する端末が存在しない」の時間の長さを記録することもでき、予定時間の長さの連続する時間帯内に、無線接続の確立を要求する端末が存在しない場合、ビーコンフレームの送信機能をオフ状態に切り替える。
【００３１】
上述した実施例から分かるように、本発明は無線接続の確立を要求する端末があるか否かを検出することで、端末が存在しない場合、ビーコンフレームの送信機能をタイムリーにオフ状態に切り替え、ビーコンフレームの送信をできる限り減少させる。例えば会社で勤務中の時、家の無線ルータは自動的にビーコンフレームの送信をオフすることができ、対応する消費電力を大きく下げることができる。
【００３２】
図２に示すように、図２は一つの例示的な実施例にかかる他の一つの信号伝送制御方法のフローチャートであり、以下のようなステップを含む。
【００３３】
ステップ２０２において、正常な状況の場合、ＡＰが正常な作業状態であり、即ちＡＰが予定周期のとおりビーコンフレームを送信し、かつ、ＳＴＡからプローブ要求フレームを受信する。
【００３４】
本実施例において、説明しやすいため「正常な作業状態」という表現を使っており、後述の「休眠状態」と区別されるようにする。ここで、正常な作業状態において、ＡＰは外部に向けてビーコンフレームを送信し、ＳＴＡが該ＡＰの確立した無線ネットワークに対して受動的スキャンを行うようにすると同時にＡＰはＳＴＡからプローブ要求フレームを受信し、ＡＰが確立した無線ネットワークに対するＳＴＡの能動的スキャンを完成する。
【００３５】
ステップ２０４において、ＡＰとの無線接続の確立を要求するＳＴＡが存在するか否かを検出し、存在する場合、要求に応答するとともに引き続き判断を行う。存在しない場合はステップ２０６に進む。
【００３６】
本実施例において、「ＳＴＡが発信したプローブ要求フレームを受信したか否か」を判断条件にすることで、対応するＳＴＡに接続要求があるか否かを確定することができる。ここで、プローブ要求フレームを受信した場合、対応するＳＴＡが無線接続の確立を要求していると判定し、逆の場合は無線接続の確立を要求するＳＴＡが存在しないと判定する。
【００３７】
本実施例において、例えば１分というような予定時間の長さを設定することができ、該予定時間の長さ以上の連続する時間帯内に無線接続の確立を要求するＳＴＡが存在しない場合、接続を要求するＳＴＡが存在しないと判定し、ステップ２０６に進み、逆に、１分である時間帯内に無線接続の確立を要求するＳＴＡが検出された場合は、時間を新たに数える必要がある。
【００３８】
ステップ２０６において、ＡＰを正常な作業状態から休眠状態に切り替え、該休眠状態のＡＰはビーコンフレームの送信を停止し、かつ、プローブ要求フレームに対する受信を維持する。
【００３９】
本実施例において、例えば日中にユーザが会社で勤務しているとき、誰も家の無線ルータを引き続き使用しておらず、無線接続を確立する必要がある新しいデバイスがあるはずもなく、ビーコンフレームの送信を続けることは、リソースとエネルギー消費の無駄であることは明らかである。従って、ＡＰを休眠状態に切り替え、ビーコンフレームの送信をしばらく停止し、プローブ要求フレームの受信のみ維持する。従って、ビーコンフレームの送信によるエネルギー消費の無駄を免れ、一方で、ユーザが退勤して帰宅した後、ユーザの正常な使用に影響を及ぼさないように、スマートフォンなどのデバイスを通じて能動的にプローブ要求フレームを送信することで、ＡＰをタイムリーに喚起する。
【００４０】
ステップ２０８において、デバイスが送信したプローブ要求フレームを受信した場合、ステップ２１０に進む。
【００４１】
ステップ２１０において、プローブ要求フレームを送信したデバイスの識別情報を取得し、ＡＰが過去に該デバイスと無線接続を確立したことがあるか否かを確定する。即ち、該デバイスが認証されなかったデバイスであるか否かを確定する。ここで、確立したことがある場合、ステップ２１２に進み、逆の場合、現在のデバイスが認証されなかったデバイスであることを意味し、ステップ２１４に進む。
【００４２】
本実施例において、識別情報は、異なるハードウェアを識別且つ区別するための、デバイスのＭＡＣ（Ｍｅｄｉａ  Ａｃｃｅｓｓ  Ｃｏｎｔｒｏｌ、メディアアクセス制御）アドレスなどであってもよい。
【００４３】
本実施例において、ＡＰはデバイスと無線接続の確立が完成されるごとに、対応するデバイスの識別情報を記録することで、「履歴データベース」を確立することができ、該履歴データベースの識別情報を利用してマッチングを行い、現在のプローブ要求フレームを送信するＳＴＡが認証されなかったデバイスであるか否かを確定する。
【００４４】
ステップ２１２において、ＡＰは正常な作業状態に戻り、再びビーコンフレームを送信する。
【００４５】
本実施例において、一方で「認証されなかったデバイス」が危険で不安定であると認め、ＳＴＡが認証されなかったデバイスではないとき、ＡＰが安全で安定的な作業環境に入ったと見なすことができ、従って正常な作業状態へ喚起することができる。一方で、認証されなかったデバイスではないＳＴＡが検出されたとき、無線接続の確立を要求するその他のデバイスが存在する可能性もある。例えばＡＰが会社の無線ルータである場合、社員が続々と会社に来る可能性があり、又はＡＰが家庭内で使用される無線ルータである場合、ユーザが外出から戻った可能性があり、他の社員または家族も続々と又は同時に到着する可能性がある。ＡＰが全てのユーザの使用ニーズを満足するようにＡＰを正常な作業状態に戻す。
【００４６】
本実施例において、受信したプローブ要求フレームに基づいて、ＡＰはそれに対して正常な応答処理を行うことができる。例えば、プローブ要求フレームを送信するＳＴＡに向けてプローブ応答（Ｐｒｏｂｅ  Ｒｅｓｐｏｎｓｅ）フレームを送り返す。
【００４７】
ステップ２１４において、認証されなかったデバイスから受信したプローブ要求フレームを無視する。
【００４８】
本発明の技術方案に基づいて、ステップ２１４において認証されなかったデバイスからのプローブ要求フレームをそのまま無視する以外に、更にその他の処理方法を採用することができる。以下では図３と図４を組み合わせて詳細な説明を行う。対応する技術方案の応用場面には、ＡＰ及び無線接続を確立したことがないＳＴＡが含まれる。例えばＡＰはユーザの家の無線ルータで、ＳＴＡは屋外の通りがかりの認証されなかった人のスマートフォンであってもよい。
【００４９】
図３に示すように、図３は一つの例示的な実施例にかかる他の一つの信号伝送制御方法のフローチャートであり、以下のようなステップを含む。
【００５０】
ステップ３０２において、ＡＰは図２に示すステップ２０２からステップ２０６までの処理プロセスに基づいて、正常な作業状態から休眠状態に切り替えられる。
【００５１】
ステップ３０４において、ＳＴＡからプローブ要求フレーム１を受信する。
【００５２】
ステップ３０６において、プローブ要求フレーム１から、例えばＳＴＡのＭＡＣアドレスのようなＳＴＡの識別情報を取得し、予め設定されたブラックリストにマッチングされるデバイス標識が存在するか否かを検索する。
【００５３】
ここで、マッチングするデバイス標識が存在する場合、ＡＰが受信したプローブ要求フレーム１をそのまま無視し、ＳＴＡがプローブ要求フレームを何回送信しても、対応するＳＴＡのＭＡＣアドレスがブラックリストに記録されていることが確定できれば、受信したプローブ要求フレームを全て無視し、ＡＰの運行状態に影響を及ぼさない。即ち、これにより休眠状態から正常な作業状態に戻らない。
【００５４】
本実施例において、ブラックリストに載っているデバイスは安全リスクが存在する可能性があり、または接続の確立を試みたが成功しなかった。従って、プローブ要求フレームを送信するＳＴＡをブラックリストと比較することを通じて、ＡＰが喚起される回数を減少させることに役立ち、安全性を高め、ＡＰの消費電力を下げる。
【００５５】
本実施例において、ＡＰが記憶した履歴データベースはブラックリストと共通部分（Ｉｎｔｅｒｓｅｃｔｉｏｎ）が存在しないため、まずＳＴＡの識別情報を履歴データベースとマッチングを行い、認証されなかったデバイスである場合は、更にブラックリストとマッチングを行う。または、まずブラックリストとマッチングを行い、リスクがない場合、更に履歴データベースとマッチングを行うこともできる。
【００５６】
図４に示すように、図４は一つの例示的な実施例にかかる他の一つの信号伝送制御方法のフローチャートであり、以下のようなステップを含む。
【００５７】
ステップ４０２において、ＡＰは図２に示すステップ２０２からステップ２０６までの処理プロセスに基づいて、正常な作業状態から休眠状態に切り替えられる。
【００５８】
ステップ４０４において、ＳＴＡからプローブ要求フレーム１を受信する。
【００５９】
ステップ４０６において、ＳＴＡが認証されなかったデバイスであることが確定された場合(図２に示されるステップ２１０を通じて判断)、予め設定されたブラックリストとマッチングを行う。
【００６０】
ステップ４０８において、ブラックリストにＳＴＡとマッチングするデバイスが存在しない場合、予め設定された時間帯内にＡＰがＳＴＡからプローブ要求フレームを受信した回数を数える。例えばこの時の記録回数は１である。
【００６１】
ＡＰ内に予定回数ｎを予め配置し、記録した回数が該予定回数であるｎより小さい場合、今回受信したプローブ要求フレームを無視する。例として、例えばｎ＝３であるときは、受信したプローブ要求フレーム１を無視する必要がある。
【００６２】
予定時間帯内に、ＡＰがＳＴＡからプローブ要求フレームを連続的に受信したとき、プローブ要求１に類似する処理方法を採用する。即ち、受信回数を記録し、かつ、今回のプローブ要求フレームを無視する。
【００６３】
ステップ４１０において、ＳＴＡからプローブ要求フレームｎを受信する。
【００６４】
ステップ４１２において、ＳＴＡが認証されなかったデバイスであると確定された場合、それを予め設定されたブラックリストとマッチングを行う。
【００６５】
ステップ４１４において、ブラックリストにＳＴＡとマッチングするデバイスが存在しない場合、予定時間帯内にＡＰがＳＴＡからプローブ要求フレームを受信した回数を数える。例えば、この時の記録回数をｎに更新する。
【００６６】
記録した回数ｎが予定回数ｎと同じであるため、ステップ４１６に進む。
【００６７】
ステップ４１６において、ＡＰの作業状態を休眠状態から正常な状態に切り替え、即ちＡＰはビーコンフレームの送信を再開する。
【００６８】
ステップ４１８において、ＡＰはＳＴＡとの無線接続の確立を試みる。例えばＳＴＡにプローブ応答フレームを送り返し、他の信号フレームとのインタラクティブを続ける。
【００６９】
ステップ４２０において、ＡＰとＳＴＡとの無線接続の確立の結果を確定し、確立が失敗した場合、ＳＴＡの識別情報（例えばＭＡＣアドレス）をブラックリストに加え、その後ＡＰが休眠状態においてＳＴＡからプローブ要求フレームを受信したとき、ＡＰは図３に示す処理方法を採用して、受信したプローブ要求フレームをそのまま無視し、且つＡＰの作業状態を切り替えない。
【００７０】
本発明は更に、前述した信号伝送制御方法の実施例に対応する、信号伝送制御装置の実施例を提供する。
【００７１】
図５は一つの例示的な実施例にかかる信号伝送制御装置のブロック図である。図５に示すように、該装置は検出ユニット５１と処理ユニット５２とを備える。
【００７２】
ここで、検出ユニット５１は、無線接続の確立を要求する端末が存在するか否かを検出するように構成され、
処理ユニット５２は、検出した結果、存在しない場合、ビーコンフレームの送信機能をオフ状態に切り替え、かつ、プローブ要求フレームに対する受信を維持するように構成される。
【００７３】
上述した実施例において、ＡＰ周辺のＳＴＡ（端末）の無線接続に対する要求を検出することを通じて、無線接続を確立する要求がない場合、ビーコンフレーム信号の送信を停止することで、ＡＰが「休眠」状態になるようにし、リソースの無駄をなくし、ＡＰの消費電力の削減に役立つことができる。同時に、本発明はプローブ要求フレームに対する受信を維持することで、ＡＰが「休眠」状態であっても周辺ＳＴＡの要求に対する検出と判断を維持でき、ＳＴＡの正常な無線接続に影響を及ぼさないようにした。
【００７４】
図６に示すように、図６は一つの例示的な実施例にかかる他の一つの信号伝送制御装置のブロック図であり、該実施例は前述した図５に示す実施例を基にしており、検出ユニット５１は、
予定時間の長さの連続する時間帯内において、無線接続の確立を要求する端末が存在するか否かを検出するように構成された検出サブユニット５１１を有することができる。
【００７５】
上述した実施例において、例示的な実施例として、「無線接続の確立を要求する端末が存在するか否か」について判断し、その上で「無線接続の確立を要求する端末が存在しない」の時間の長さを記録することができ、予定時間の長さの連続する時間帯内に、無線接続の確立を要求する端末が存在しない場合、ビーコンフレームの送信機能をオフ状態に切り替える。他の一つの例示的な実施例として、「無線接続の確立を要求する端末が存在するか否か」のみについて判断することができ、存在しない場合、ビーコンフレームの送信機能をオフ状態に切り替える。
【００７６】
図７に示すように、図７は一つの例示的な実施例にかかる他の一つの信号伝送制御装置のブロック図であり、該実施例は前述した図５に示す実施例を基にしており、該装置は更に、判断ユニット５３と第１切り替えユニット５４とを備えることができる。
【００７７】
ここで、判断ユニット５３は、前記プローブ要求フレームを受信したとき、前記プローブ要求フレームを送信する送信端末と無線接続を確立したことがあるか否かを判断するように構成され、
第１切り替えユニット５４は、判断した結果、確立したことがある場合、前記送信機能をオンの状態に切り替えるように構成される。
【００７８】
上述した実施例において、認証されたデバイスから送信されるプローブ要求フレームが検出された場合、ＡＰを正常な作業状態に戻すことで、無線接続の確立を希望する他のデバイスが存在する場合、ＡＰが全てのユーザの使用ニーズを満たすことができるようにする。
【００７９】
上述した図７に示す装置実施例における判断ユニット５３と第１切り替えユニット５４の構造は前述した図６の装置実施例に含まれることも可能であり、本願はこれを限定しない。
【００８０】
図８に示すように、図８は一つの例示的な実施例にかかる他の一つの信号伝送制御装置のブロック図であり、該実施例は前述した図７に示す実施例を基にしており、判断ユニット５３は、取得サブユニット５３１と検索サブユニット５３２とを有することができる。
【００８１】
ここで、取得サブユニット５３１は、前記プローブ要求フレームを送信する送信端末の識別情報を取得するように構成され、
検索サブユニット５３２は、予め設定された履歴データベースの中から、前記送信端末の識別情報とマッチングする過去の接続デバイスが存在するか否かを検索し、存在する場合、無線接続を確立したことがあると判断するように構成される。
【００８２】
上述した実施例において、ＡＰはデバイスと無線接続の確立が完成されるごとに、対応するデバイスの識別情報を記録することで、「履歴データベース」を確立することができ、該履歴データベースの識別情報を利用してマッチングを行い、現在のプローブ要求フレームを送信するＳＴＡが認証されなかったデバイスか否かを確定することができる。
【００８３】
図９に示すように、図９は一つの例示的な実施例にかかる他の一つの信号伝送制御装置のブロック図であり、該実施例は前述した図７に示す実施例を基にしており、前記装置は更に、記録ユニット５５と第２切り替えユニット５６とを備えることができる。
【００８４】
ここで、記録ユニット５５は、前記判断した結果、確立したことがない場合、前記送信端末からプローブ要求フレームを受信した累計回数を記録するように構成され、
第２切り替えユニット５６は、前記累計回数が予定回数以上であるとき、前記送信機能をオンの状態に切り替えるように構成される。
【００８５】
上述した実施例において、同じＳＴＡからプローブ要求フレームを受信した累計回数が少なすぎる（例えば予定回数より少ない）とき、該ＳＴＡは通りかかりに過ぎず、無線接続を確立する要求がない可能性があり、従って応答、又は作業状態を切り替える必要がない。同じＳＴＡからプローブ要求フレームを受信した累計回数が比較的に多い（例えば予定回数以上）とき、該ＳＴＡが大範囲に移動しなかったことを意味し、無線接続の確立を希望する可能性が高く、また周辺に類似のデバイスが存在する可能性があり、そのため、全てのデバイスのニーズを満たすためにＡＰの作業状態を切り替える。ここで、ＡＰはＳＴＡからの全てのプローブ要求フレームを無視して、ビーコンフレームを送信することだけで、ＳＴＡのＡＰに対するスキャンを実現させることができ、または、ＡＰはＳＴＡが送信した最後のプローブ要求フレームに応答し、即ちプローブ応答フレームを送り返すこともできる。
【００８６】
図１０に示すように、図１０は一つの例示的な実施例にかかる他の一つの信号伝送制御装置のブロック図であり、該実施例は前述した図９に示す実施例の基に、更に、追加ユニット５７を備えることができる。
【００８７】
ここで、追加ユニット５７は、前記送信端末と無線接続を確立したことがないとき、今回前記送信端末との無線接続を確立する操作が失敗した場合、前記送信端末の識別情報を予め設定されたブラックリストに加えるように構成される。
【００８８】
ここで、前記送信機能の状態を切り替える操作は、受信した前記ブラックリストにマッチングされる端末のプローブ要求フレームとは関係ない。
【００８９】
上述した実施例において、ブラックリストメカニズムを採用することで、ブラックリストに記録されたＳＴＡに応答することを避けるようにし、ＡＰの安全性の向上と消費電力の削減に役立つ。同時に、ＳＴＡが無線接続を成功的に確立できないとき、今回のＡＰを喚起する作業が無駄になったことを表す。これでＡＰは一定時間の間、正常な作業状態を保つ必要があり、また無線接続の確立を必要とするデバイスが存在しない可能性も大きいため、無線接続を性向的に確立できなかったＳＴＡをブラックリストに加えることで、次回、該ＳＴＡにより喚起されることを避け、ＡＰの運行消費電力の削減に役立つ。
【００９０】
上述した実施例における装置に関しては、それぞれのモジュールが操作を実行する具体的な方法は既に関連する該方法実施例において詳細な説明を行っており、ここでは繰り返し説明しない。
【００９１】
装置実施例は、基本的に方法の実施例に対応するため、関連するところは方法の実施例の部分的な説明を参考にすることができる。以上、説明した装置実施例は例示的なものに過ぎず、ここで分離できるパーツとして説明された前記ユニットは、物理的に分離できるものであってもなくてもよい。ユニットとして表示されたパーツは物理的なユニットであってもなくてもよい。即ち、一か所に位置することが可能で、または複数のネットワークユニットに分布されていてもよい。実際のニーズに基づいて、その中の部分または全部のモジュールを選択して本発明の方案の目的を実現することができる。当業者は創造的な労働を経ずに、理解し実施することができる。
【００９２】
上記に対応して、本発明は更に信号伝送制御装置を提供し、プロセッサと、プロセッサにより実行可能な指令を記憶するためのメモリとを備える。ここで前記プロセッサは、無線接続の確立を要求する端末が存在するか否かを検出し、存在しない場合、ビーコンフレームの送信機能をオフ状態に切り替え、かつ、プローブ要求フレームに対する受信を維持するように構成される。
【００９３】
また、上記に対応して、本発明は更に端末を提供し、前記端末は、メモリ及びメモリに記憶された一つまたは一つ以上のプログラムを含んでおり、かつ、一つまたは一つ以上のプロセッサによって、無線接続の確立を要求する端末が存在するか否かを検出し、存在しない場合はビーコンフレームの送信機能をオフ状態に切り替え、かつ、プローブ要求フレームに対する受信を維持するための指令を含む前記一つまたは一つ以上のプログラムを実行するように構成される。
【００９４】
図１１は一つの例示的な実施例にかかる信号伝送制御装置１１００のブロック図である。例えば、装置１１００はＡＰ、無線ルータ、ＡＰ機能を有する移動デバイス（例えばスマートフォンまたはタブレットデバイス等）であってもよい。図１１に示すように、装置１１００は、一つ又は複数のプロセッサを有する処理部材１１２２、及びメモリ１１３２を代表とする記憶装置を備える。該記憶装置は、例えばアプリケーションプログラムのような、処理部材１１２２によって実行される指令を記憶するために使われる。メモリ１１３２に記憶されるアプリケーションプログラムは、一つ又は複数の、それぞれ一組の指令に対応するモジュールを含むことができる。また、処理部材１１２２は指令を実行するように構成され、上記の信号伝送制御方法を実行する。
【００９５】
装置１１００は更に、装置１１００の電源の管理を実行するように構成される電源部材１１２６、装置１１００をネットワークに接続するように構成される一つの有線又は無線ネットワークインターフェース１１５０及び一つの入力／出力（Ｉ／Ｏ）インタフェース１１５８を備える。装置１１００はメモリ１１３２に記憶されたオペレーティングシステムに基づいて動作することができる。
【００９６】
当業者は明細書を検討し、ここで開示した発明を実践した後、本発明のその他の実施方案を容易に思いつくことができる。本願は本発明の全ての変更、用途又は適応性の変化を含む。これらの変更、用途又は適応性の変化は本発明の一般的な原理に従っており、本発明に未開示の本技術分野における周知技術又は慣用技術手段を含む。明細書及び実施例は例示的なものに過ぎず、本発明の真の範囲及び主旨は以下の特許請求の範囲によって示される。
【００９７】
本発明は、上記で説明した、また図面において示した寸分違わぬ構成に限定されず、その範囲を逸脱しない前提のもとで種々の変更及び修正を行うことができることを理解すべきである。本発明の範囲は付された特許請求の範囲によってのみ限定される。
【図１】
2016536950.tif 000003
【図２】
2016536950.tif 000004
【図３】
2016536950.tif 000005
【図４】
2016536950.tif 000006
【図５】
2016536950.tif 000007
【図６】
2016536950.tif 000008
【図７】
2016536950.tif 000009
【図８】
2016536950.tif 000010
【図９】
2016536950.tif 000011
【図１０】
2016536950.tif 000012
【図１１】
2016536950.tif 000013
【手続補正書】
【提出日】平成27年5月21日(2015.5.21)
【手続補正１】
【補正対象書類名】明細書
【補正対象項目名】全文
【補正方法】変更
【補正の内容】
【発明の詳細な説明】
【相互参照】
【０００１】
本願は出願番号が２０１４１０５５５６６８２であって、出願日が２０１４年１０月１７日である中国特許出願に基づき、優先権を主張し、当該中国特許出願の全ての内容は本願に援用される。
【技術分野】
【０００２】
本発明は通信技術分野に関わり、特に信号伝送制御方法、装置、電子デバイス、プログラム及び記録媒体に関わる。
【背景技術】
【０００３】
ＡＰ（Ａｃｃｅｓｓ  Ｐｏｉｎｔ、アクセスポイント）は定期的に外部に向けてＢｅａｃｏｎ（ビーコン）信号を送出し、周辺のＳＴＡ（Ｓｔａｔｉｏｎ、ステーションまたは端末）が該Ｂｅａｃｏｎ信号をインターセプトすることによって、対応するＡＰが確立した無線ネットワークを発見するようにすることができる。該プロセスが即ち無線ネットワーク発見時の「受動的スキャン」プロセスである。
【０００４】
受動的スキャンのプロセスにおいて、ＳＴＡはＢｅａｃｏｎ信号をインターセプトする必要のみあり、能動的にプローブ信号を送信する必要がないため、ＳＴＡの消費電力を下げることができる。しかしながら、周辺に接続すべきＳＴＡが存在しない場合、Ｂｅａｃｏｎ信号の送出は無線リソースの無駄であることは明らかであり、またＡＰの消費電力の増加を招いてしまう。
【発明の概要】
【０００５】
本発明は、関連技術におけるビーコンフレーム（Ｂｅａｃｏｎ  Ｆｒａｍｅ）の送出によりＡＰの消費電力が高すぎになるという技術的な問題を解決するために、信号伝送制御方法、装置、電子デバイス、プログラム及び記録媒体を提供する。
【０００６】
本発明の実施例の第１の態様によれば、
無線接続の確立を要求する端末が存在するか否かを検出するステップと、
存在しない場合、ビーコンフレームの送信機能をオフ状態に切り替え、かつ、プローブ要求フレームに対する受信を維持するステップとを含む信号伝送制御方法を提供する。
【０００７】
好ましく、前記無線接続の確立を要求する端末が存在するか否かを検出するステップには、
予定時間の長さの連続する時間帯内において、無線接続の確立を要求する端末が存在するか否かを検出するステップが含まれる。
【０００８】
好ましくは、
更に、前記プローブ要求フレームを受信したとき、前記プローブ要求フレームを送信する送信端末と無線接続を確立したことがあるか否かを判断するステップと、
確立したことがある場合、前記送信機能をオンの状態に切り替えるステップとを含む。
【０００９】
好ましくは、前記プローブ要求フレームを送信する送信端末と無線接続を確立したことがあるか否かを判断するステップには、
前記プローブ要求フレームを送信する送信端末の識別情報を取得するステップと、
予め設定された履歴データベースの中から、前記送信端末の識別情報とマッチングする過去の接続デバイスが存在するか否かを検索するステップと、
存在する場合、無線接続を確立したことがあると判定するステップが含まれる。
【００１０】
好ましくは、
更に、確立したことがない場合、前記送信端末からプローブ要求フレームを受信した累計回数を記録するステップと、
前記累計回数が予定回数以上である場合、前記送信機能をオンの状態に切り替えるステップを含む。
【００１１】
好ましくは、
更に、前記送信端末と無線接続を確立したことがないとき、今回前記送信端末との無線接続を確立する動作が失敗した場合、前記送信端末の識別情報を予め設定されたブラックリストに加えるステップを含み、
前記送信機能の状態を切り替える動作は、受信した前記ブラックリストにマッチングする端末のプローブ要求フレームとは関係ない。
【００１２】
本発明の実施例の第２の態様によれば、
無線接続の確立を要求する端末が存在するか否かを検出するための検出ユニットと、
検出した結果、存在しない場合、ビーコンフレームの送信機能をオフ状態に切り替え、かつ、プローブ要求フレームに対する受信を維持するための処理ユニットとを備える信号伝送制御装置を提供する。
【００１３】
好ましくは、前記検出ユニットは、
予定時間の長さの連続する時間帯内において、無線接続の確立を要求する端末が存在するか否かを検出するための検出サブユニットを有する信号伝送制御装置を提供する。
【００１４】
好ましくは、
更に、前記プローブ要求フレームを受信したとき、前記プローブ要求フレームを送信する送信端末と無線接続を確立したことがあるか否かを判断するための判断ユニットと、
判断した結果、確立したことがある場合、前記送信機能をオンの状態に切り替えるための第１切り替えユニットとを備える。
【００１５】
好ましくは、前記判断ユニットは、
前記プローブ要求フレームを送信する送信端末の識別情報を取得するための取得サブユニットと、
予め設定された履歴データベースの中から、前記送信端末の識別情報とマッチングする過去の接続デバイスが存在したか否かを検索するための検索サブユニットとを有し、
存在する場合、無線接続を確立したことがあると判定する。
【００１６】
好ましくは、
更に、前記判断した結果、確立したことがない場合、前記送信端末からプローブ要求フレームを受信した累計回数を記録するための記録ユニットと、
前記累計回数が予定回数以上である場合、前記送信機能をオンの状態に切り替えるための第２切り替えユニットとを備える。
【００１７】
好ましくは、
更に、前記送信端末と無線接続を確立したことがないとき、今回前記送信端末との無線接続を確立する動作が失敗した場合、前記送信端末の識別情報を予め設定されたブラックリストに加えるための追加ユニットを備え、
前記送信機能の状態を切り替える動作は、受信した前記ブラックリストにマッチングする端末のプローブ要求フレームとは関係ない。
【００１８】
本発明の実施例の第３の態様によれば、
プロセッサと、
プロセッサが実行可能な指令を記憶するためのメモリとを備え、
前記プロセッサは、
無線接続の確立を要求する端末が存在するか否かを検出し、
存在しない場合、ビーコンフレームの送信機能をオフ状態に切り替え、かつ、プローブ要求フレームに対する受信を維持するように構成される電子デバイスを提供する。
【００１９】
本発明の実施例の第４の態様によれば、プロセッサに実行されることにより、前記信
号伝送制御方法を実現する記録媒体に記録されたプログラムを提供する。
【００２０】
本発明の実施例の第５の態様によれば、プログラムが記録された記録媒体を提供する。
【００２１】
本発明の実施例が提供する技術案は下記のような有益な効果を含むことができる。
【００２２】
本発明はＡＰ周辺のＳＴＡ（端末）の無線接続に対する要求を検出することを通じて、無線接続を確立する要求がない場合、ビーコンフレーム信号の送信を停止することで、ＡＰが「休眠」状態になるようにし、リソースの無駄をなくし、ＡＰの消費電力の削減に役立つことができる。同時に、本発明はプローブ要求フレームに対する受信を維持することで、ＡＰが「休眠」状態であっても周辺ＳＴＡの要求に対する検出と判断を維持でき、ＳＴＡの正常な無線接続に影響を及ぼさないようにした。
【００２３】
また、上記の一般的な説明及び以下の詳細な説明は単なる例示及び解釈に過ぎず、本発明を限定するものではないことを理解すべきである。
【図面の簡単な説明】
【００２４】
ここで、図面は明細書に取り込まれて明細書の一部を構成し、本発明に合致する実施例を示し、また、明細書と共に本発明の原理の解釈に用いられる。
【００２５】
【図１】一つの例示的な実施例にかかる信号伝送制御方法のフローチャートである。
【図２】一つの例示的な実施例にかかる他の一つの信号伝送制御方法のフローチャートである。
【図３】一つの例示的な実施例にかかる他の一つの信号伝送制御方法のフローチャートである。
【図４】一つの例示的な実施例にかかる他の一つの信号伝送制御方法のフローチャートである。
【図５】一つの例示的な実施例にかかる信号伝送制御装置のブロック図である。
【図６】一つの例示的な実施例にかかる他の一つの信号伝送制御装置のブロック図である。
【図７】一つの例示的な実施例にかかる他の一つの信号伝送制御装置のブロック図である。
【図８】一つの例示的な実施例にかかる他の一つの信号伝送制御装置のブロック図である。
【図９】一つの例示的な実施例にかかる他の一つの信号伝送制御装置のブロック図である。
【図１０】一つの例示的な実施例にかかる他の一つの信号伝送制御装置のブロック図である。
【図１１】一つの例示的な実施例にかかる信号伝送制御に用いられる装置の構成の説明図である。
【発明を実施するための形態】
【００２６】
ここで例示的な実施例について詳細に説明を行うが、その例示は図面において示されている。以下の説明が図面に関する場合、特に示さない限り、異なる図面の中の同一の数字は同一又は類似の要素を表す。また、以下の例示的な実施例で説明する実施形態は、本発明と一致する全ての実施形態を代表するものではなく、これらは特許請求の範囲において詳述した、本発明の一部の態様と一致する装置及び方法の例に過ぎない。
【００２７】
図１は一つの例示的な実施例にかかる信号伝送制御方法のフローチャートである。図１に示すように、該方法はＡＰに使われ、以下のようなステップを含む。
【００２８】
ステップ１０２において、無線接続の確立を要求する端末が存在するか否かを検出する。
【００２９】
本実施例において、ＡＰは、無線インターネットをコンパイル（ｃｏｍｐｉｌｅ）して無線ネットワークカバレッジに転換することのみに使用され、無線ネットワーク環境において応用される「スイッチ」に相当する、単純型ＡＰであってもよく、または、ＡＰは拡張型ＡＰ、即ち無線ルータであってもよい。ここで、ＡＰは独立したデバイスであってもよく、または、例えばスマートフォンに集積された「ホットスポット」機能を有するＷＩＦＩ（Ｗｉｄｅｌｙ  Ｆｉｄｅｌｉｔｙ）モジュールのような、他の設備に集積された機能モジュールであってもよい。
【００３０】
本実施例において、例示的な実施例として、端末から送信されたプローブ要求（Ｐｒｏｂｅ  Ｒｅｑｕｅｓｔ）フレームを受信したとき、該端末が無線接続の確立を要求していると見なすことができる。当然ながら、接続確立への端末の意図を確定するためのその他の方法も本発明の技術方案に応用することができる。
【００３１】
ステップ１０４において、存在しない場合、ビーコンフレームの送信機能をオフ状態に切り替え、かつ、プローブ要求フレームに対する受信を維持する。
【００３２】
本実施例において、例示的な実施例として、「無線接続の確立を要求する端末が存在するか否か」のみについて判断することができ、存在しない場合、ビーコン（Ｂｅａｃｏｎ）フレームの送信機能をオフ状態に切り替える。また、他の一つの例示的な実施例として、同時に「無線接続の確立を要求する端末が存在しない」の時間の長さを記録することもでき、予定時間の長さの連続する時間帯内に、無線接続の確立を要求する端末が存在しない場合、ビーコンフレームの送信機能をオフ状態に切り替える。
【００３３】
上述した実施例から分かるように、本発明は無線接続の確立を要求する端末があるか否かを検出することで、端末が存在しない場合、ビーコンフレームの送信機能をタイムリーにオフ状態に切り替え、ビーコンフレームの送信をできる限り減少させる。例えば会社で勤務中の時、家の無線ルータは自動的にビーコンフレームの送信をオフすることができ、対応する消費電力を大きく下げることができる。
【００３４】
図２に示すように、図２は一つの例示的な実施例にかかる他の一つの信号伝送制御方法のフローチャートであり、以下のようなステップを含む。
【００３５】
ステップ２０２において、正常な状況の場合、ＡＰが正常な作業状態であり、即ちＡＰが予定周期のとおりビーコンフレームを送信し、かつ、ＳＴＡからプローブ要求フレームを受信する。
【００３６】
本実施例において、説明しやすいため「正常な作業状態」という表現を使っており、後述の「休眠状態」と区別されるようにする。ここで、正常な作業状態において、ＡＰは外部に向けてビーコンフレームを送信し、ＳＴＡが該ＡＰの確立した無線ネットワークに対して受動的スキャンを行うようにすると同時にＡＰはＳＴＡからプローブ要求フレームを受信し、ＡＰが確立した無線ネットワークに対するＳＴＡの能動的スキャンを完成する。
【００３７】
ステップ２０４において、ＡＰとの無線接続の確立を要求するＳＴＡが存在するか否かを検出し、存在する場合、要求に応答するとともに引き続き判断を行う。存在しない場合はステップ２０６に進む。
【００３８】
本実施例において、「ＳＴＡが発信したプローブ要求フレームを受信したか否か」を判断条件にすることで、対応するＳＴＡに接続要求があるか否かを確定することができる。ここで、プローブ要求フレームを受信した場合、対応するＳＴＡが無線接続の確立を要求していると判定し、逆の場合は無線接続の確立を要求するＳＴＡが存在しないと判定する。
【００３９】
本実施例において、例えば１分というような予定時間の長さを設定することができ、該予定時間の長さ以上の連続する時間帯内に無線接続の確立を要求するＳＴＡが存在しない場合、接続を要求するＳＴＡが存在しないと判定し、ステップ２０６に進み、逆に、１分である時間帯内に無線接続の確立を要求するＳＴＡが検出された場合は、時間を新たに数える必要がある。
【００４０】
ステップ２０６において、ＡＰを正常な作業状態から休眠状態に切り替え、該休眠状態のＡＰはビーコンフレームの送信を停止し、かつ、プローブ要求フレームに対する受信を維持する。
【００４１】
本実施例において、例えば日中にユーザが会社で勤務しているとき、誰も家の無線ルータを引き続き使用しておらず、無線接続を確立する必要がある新しいデバイスがあるはずもなく、ビーコンフレームの送信を続けることは、リソースとエネルギー消費の無駄であることは明らかである。従って、ＡＰを休眠状態に切り替え、ビーコンフレームの送信をしばらく停止し、プローブ要求フレームの受信のみ維持する。従って、ビーコンフレームの送信によるエネルギー消費の無駄を免れ、一方で、ユーザが退勤して帰宅した後、ユーザの正常な使用に影響を及ぼさないように、スマートフォンなどのデバイスを通じて能動的にプローブ要求フレームを送信することで、ＡＰをタイムリーに喚起する。
【００４２】
ステップ２０８において、デバイスが送信したプローブ要求フレームを受信した場合、ステップ２１０に進む。
【００４３】
ステップ２１０において、プローブ要求フレームを送信したデバイスの識別情報を取得し、ＡＰが過去に該デバイスと無線接続を確立したことがあるか否かを確定する。即ち、該デバイスが認証されなかったデバイスであるか否かを確定する。ここで、確立したことがある場合、ステップ２１２に進み、逆の場合、現在のデバイスが認証されなかったデバイスであることを意味し、ステップ２１４に進む。
【００４４】
本実施例において、識別情報は、異なるハードウェアを識別且つ区別するための、デバイスのＭＡＣ（Ｍｅｄｉａ  Ａｃｃｅｓｓ  Ｃｏｎｔｒｏｌ、メディアアクセス制御）アドレスなどであってもよい。
【００４５】
本実施例において、ＡＰはデバイスと無線接続の確立が完成されるごとに、対応するデバイスの識別情報を記録することで、「履歴データベース」を確立することができ、該履歴データベースの識別情報を利用してマッチングを行い、現在のプローブ要求フレームを送信するＳＴＡが認証されなかったデバイスであるか否かを確定する。
【００４６】
ステップ２１２において、ＡＰは正常な作業状態に戻り、再びビーコンフレームを送信する。
【００４７】
本実施例において、一方で「認証されなかったデバイス」が危険で不安定であると認め、ＳＴＡが認証されなかったデバイスではないとき、ＡＰが安全で安定的な作業環境に入ったと見なすことができ、従って正常な作業状態へ喚起することができる。一方で、認証されなかったデバイスではないＳＴＡが検出されたとき、無線接続の確立を要求するその他のデバイスが存在する可能性もある。例えばＡＰが会社の無線ルータである場合、社員が続々と会社に来る可能性があり、又はＡＰが家庭内で使用される無線ルータである場合、ユーザが外出から戻った可能性があり、他の社員または家族も続々と又は同時に到着する可能性がある。ＡＰが全てのユーザの使用ニーズを満足するようにＡＰを正常な作業状態に戻す。
【００４８】
本実施例において、受信したプローブ要求フレームに基づいて、ＡＰはそれに対して正常な応答処理を行うことができる。例えば、プローブ要求フレームを送信するＳＴＡに向けてプローブ応答（Ｐｒｏｂｅ  Ｒｅｓｐｏｎｓｅ）フレームを送り返す。
【００４９】
ステップ２１４において、認証されなかったデバイスから受信したプローブ要求フレームを無視する。
【００５０】
本発明の技術方案に基づいて、ステップ２１４において認証されなかったデバイスからのプローブ要求フレームをそのまま無視する以外に、更にその他の処理方法を採用することができる。以下では図３と図４を組み合わせて詳細な説明を行う。対応する技術方案の応用場面には、ＡＰ及び無線接続を確立したことがないＳＴＡが含まれる。例えばＡＰはユーザの家の無線ルータで、ＳＴＡは屋外の通りがかりの認証されなかった人のスマートフォンであってもよい。
【００５１】
図３に示すように、図３は一つの例示的な実施例にかかる他の一つの信号伝送制御方法のフローチャートであり、以下のようなステップを含む。
【００５２】
ステップ３０２において、ＡＰは図２に示すステップ２０２からステップ２０６までの処理プロセスに基づいて、正常な作業状態から休眠状態に切り替えられる。
【００５３】
ステップ３０４において、ＳＴＡからプローブ要求フレーム１を受信する。
【００５４】
ステップ３０６において、プローブ要求フレーム１から、例えばＳＴＡのＭＡＣアドレスのようなＳＴＡの識別情報を取得し、予め設定されたブラックリストにマッチングされるデバイス標識が存在するか否かを検索する。
【００５５】
ここで、マッチングするデバイス標識が存在する場合、ＡＰが受信したプローブ要求フレーム１をそのまま無視し、ＳＴＡがプローブ要求フレームを何回送信しても、対応するＳＴＡのＭＡＣアドレスがブラックリストに記録されていることが確定できれば、受信したプローブ要求フレームを全て無視し、ＡＰの運行状態に影響を及ぼさない。即ち、これにより休眠状態から正常な作業状態に戻らない。
【００５６】
本実施例において、ブラックリストに載っているデバイスは安全リスクが存在する可能性があり、または接続の確立を試みたが成功しなかった。従って、プローブ要求フレームを送信するＳＴＡをブラックリストと比較することを通じて、ＡＰが喚起される回数を減少させることに役立ち、安全性を高め、ＡＰの消費電力を下げる。
【００５７】
本実施例において、ＡＰが記憶した履歴データベースはブラックリストと共通部分（Ｉｎｔｅｒｓｅｃｔｉｏｎ）が存在しないため、まずＳＴＡの識別情報を履歴データベースとマッチングを行い、認証されなかったデバイスである場合は、更にブラックリストとマッチングを行う。または、まずブラックリストとマッチングを行い、リスクがない場合、更に履歴データベースとマッチングを行うこともできる。
【００５８】
図４に示すように、図４は一つの例示的な実施例にかかる他の一つの信号伝送制御方法のフローチャートであり、以下のようなステップを含む。
【００５９】
ステップ４０２において、ＡＰは図２に示すステップ２０２からステップ２０６までの処理プロセスに基づいて、正常な作業状態から休眠状態に切り替えられる。
【００６０】
ステップ４０４において、ＳＴＡからプローブ要求フレーム１を受信する。
【００６１】
ステップ４０６において、ＳＴＡが認証されなかったデバイスであることが確定された場合(図２に示されるステップ２１０を通じて判断)、予め設定されたブラックリストとマッチングを行う。
【００６２】
ステップ４０８において、ブラックリストにＳＴＡとマッチングするデバイスが存在しない場合、予め設定された時間帯内にＡＰがＳＴＡからプローブ要求フレームを受信した回数を数える。例えばこの時の記録回数は１である。
【００６３】
ＡＰ内に予定回数ｎを予め配置し、記録した回数が該予定回数であるｎより小さい場合、今回受信したプローブ要求フレームを無視する。例として、例えばｎ＝３であるときは、受信したプローブ要求フレーム１を無視する必要がある。
【００６４】
予定時間帯内に、ＡＰがＳＴＡからプローブ要求フレームを連続的に受信したとき、プローブ要求１に類似する処理方法を採用する。即ち、受信回数を記録し、かつ、今回のプローブ要求フレームを無視する。
【００６５】
ステップ４１０において、ＳＴＡからプローブ要求フレームｎを受信する。
【００６６】
ステップ４１２において、ＳＴＡが認証されなかったデバイスであると確定された場合、それを予め設定されたブラックリストとマッチングを行う。
【００６７】
ステップ４１４において、ブラックリストにＳＴＡとマッチングするデバイスが存在しない場合、予定時間帯内にＡＰがＳＴＡからプローブ要求フレームを受信した回数を数える。例えば、この時の記録回数をｎに更新する。
【００６８】
記録した回数ｎが予定回数ｎと同じであるため、ステップ４１６に進む。
【００６９】
ステップ４１６において、ＡＰの作業状態を休眠状態から正常な状態に切り替え、即ちＡＰはビーコンフレームの送信を再開する。
【００７０】
ステップ４１８において、ＡＰはＳＴＡとの無線接続の確立を試みる。例えばＳＴＡにプローブ応答フレームを送り返し、他の信号フレームとのインタラクティブを続ける。
【００７１】
ステップ４２０において、ＡＰとＳＴＡとの無線接続の確立の結果を確定し、確立が失敗した場合、ＳＴＡの識別情報（例えばＭＡＣアドレス）をブラックリストに加え、その後ＡＰが休眠状態においてＳＴＡからプローブ要求フレームを受信したとき、ＡＰは図３に示す処理方法を採用して、受信したプローブ要求フレームをそのまま無視し、且つＡＰの作業状態を切り替えない。
【００７２】
本発明は更に、前述した信号伝送制御方法の実施例に対応する、信号伝送制御装置の実施例を提供する。
【００７３】
図５は一つの例示的な実施例にかかる信号伝送制御装置のブロック図である。図５に示すように、該装置は検出ユニット５１と処理ユニット５２とを備える。
【００７４】
ここで、検出ユニット５１は、無線接続の確立を要求する端末が存在するか否かを検出するように構成され、
処理ユニット５２は、検出した結果、存在しない場合、ビーコンフレームの送信機能をオフ状態に切り替え、かつ、プローブ要求フレームに対する受信を維持するように構成される。
【００７５】
上述した実施例において、ＡＰ周辺のＳＴＡ（端末）の無線接続に対する要求を検出することを通じて、無線接続を確立する要求がない場合、ビーコンフレーム信号の送信を停止することで、ＡＰが「休眠」状態になるようにし、リソースの無駄をなくし、ＡＰの消費電力の削減に役立つことができる。同時に、本発明はプローブ要求フレームに対する受信を維持することで、ＡＰが「休眠」状態であっても周辺ＳＴＡの要求に対する検出と判断を維持でき、ＳＴＡの正常な無線接続に影響を及ぼさないようにした。
【００７６】
図６に示すように、図６は一つの例示的な実施例にかかる他の一つの信号伝送制御装置のブロック図であり、該実施例は前述した図５に示す実施例を基にしており、検出ユニット５１は、
予定時間の長さの連続する時間帯内において、無線接続の確立を要求する端末が存在するか否かを検出するように構成された検出サブユニット５１１を有することができる。
【００７７】
上述した実施例において、例示的な実施例として、「無線接続の確立を要求する端末が存在するか否か」について判断し、その上で「無線接続の確立を要求する端末が存在しない」の時間の長さを記録することができ、予定時間の長さの連続する時間帯内に、無線接続の確立を要求する端末が存在しない場合、ビーコンフレームの送信機能をオフ状態に切り替える。他の一つの例示的な実施例として、「無線接続の確立を要求する端末が存在するか否か」のみについて判断することができ、存在しない場合、ビーコンフレームの送信機能をオフ状態に切り替える。
【００７８】
図７に示すように、図７は一つの例示的な実施例にかかる他の一つの信号伝送制御装置のブロック図であり、該実施例は前述した図５に示す実施例を基にしており、該装置は更に、判断ユニット５３と第１切り替えユニット５４とを備えることができる。
【００７９】
ここで、判断ユニット５３は、前記プローブ要求フレームを受信したとき、前記プローブ要求フレームを送信する送信端末と無線接続を確立したことがあるか否かを判断するように構成され、
第１切り替えユニット５４は、判断した結果、確立したことがある場合、前記送信機能をオンの状態に切り替えるように構成される。
【００８０】
上述した実施例において、認証されたデバイスから送信されるプローブ要求フレームが検出された場合、ＡＰを正常な作業状態に戻すことで、無線接続の確立を希望する他のデバイスが存在する場合、ＡＰが全てのユーザの使用ニーズを満たすことができるようにする。
【００８１】
上述した図７に示す装置実施例における判断ユニット５３と第１切り替えユニット５４の構造は前述した図６の装置実施例に含まれることも可能であり、本願はこれを限定しない。
【００８２】
図８に示すように、図８は一つの例示的な実施例にかかる他の一つの信号伝送制御装置のブロック図であり、該実施例は前述した図７に示す実施例を基にしており、判断ユニット５３は、取得サブユニット５３１と検索サブユニット５３２とを有することができる。
【００８３】
ここで、取得サブユニット５３１は、前記プローブ要求フレームを送信する送信端末の識別情報を取得するように構成され、
検索サブユニット５３２は、予め設定された履歴データベースの中から、前記送信端末の識別情報とマッチングする過去の接続デバイスが存在するか否かを検索し、存在する場合、無線接続を確立したことがあると判断するように構成される。
【００８４】
上述した実施例において、ＡＰはデバイスと無線接続の確立が完成されるごとに、対応するデバイスの識別情報を記録することで、「履歴データベース」を確立することができ、該履歴データベースの識別情報を利用してマッチングを行い、現在のプローブ要求フレームを送信するＳＴＡが認証されなかったデバイスか否かを確定することができる。
【００８５】
図９に示すように、図９は一つの例示的な実施例にかかる他の一つの信号伝送制御装置のブロック図であり、該実施例は前述した図７に示す実施例を基にしており、前記装置は更に、記録ユニット５５と第２切り替えユニット５６とを備えることができる。
【００８６】
ここで、記録ユニット５５は、前記判断した結果、確立したことがない場合、前記送信端末からプローブ要求フレームを受信した累計回数を記録するように構成され、
第２切り替えユニット５６は、前記累計回数が予定回数以上であるとき、前記送信機能をオンの状態に切り替えるように構成される。
【００８７】
上述した実施例において、同じＳＴＡからプローブ要求フレームを受信した累計回数が少なすぎる（例えば予定回数より少ない）とき、該ＳＴＡは通りかかりに過ぎず、無線接続を確立する要求がない可能性があり、従って応答、又は作業状態を切り替える必要がない。同じＳＴＡからプローブ要求フレームを受信した累計回数が比較的に多い（例えば予定回数以上）とき、該ＳＴＡが大範囲に移動しなかったことを意味し、無線接続の確立を希望する可能性が高く、また周辺に類似のデバイスが存在する可能性があり、そのため、全てのデバイスのニーズを満たすためにＡＰの作業状態を切り替える。ここで、ＡＰはＳＴＡからの全てのプローブ要求フレームを無視して、ビーコンフレームを送信することだけで、ＳＴＡのＡＰに対するスキャンを実現させることができ、または、ＡＰはＳＴＡが送信した最後のプローブ要求フレームに応答し、即ちプローブ応答フレームを送り返すこともできる。
【００８８】
図１０に示すように、図１０は一つの例示的な実施例にかかる他の一つの信号伝送制御装置のブロック図であり、該実施例は前述した図９に示す実施例の基に、更に、追加ユニット５７を備えることができる。
【００８９】
ここで、追加ユニット５７は、前記送信端末と無線接続を確立したことがないとき、今回前記送信端末との無線接続を確立する操作が失敗した場合、前記送信端末の識別情報を予め設定されたブラックリストに加えるように構成される。
【００９０】
ここで、前記送信機能の状態を切り替える操作は、受信した前記ブラックリストにマッチングされる端末のプローブ要求フレームとは関係ない。
【００９１】
上述した実施例において、ブラックリストメカニズムを採用することで、ブラックリストに記録されたＳＴＡに応答することを避けるようにし、ＡＰの安全性の向上と消費電力の削減に役立つ。同時に、ＳＴＡが無線接続を成功的に確立できないとき、今回のＡＰを喚起する作業が無駄になったことを表す。これでＡＰは一定時間の間、正常な作業状態を保つ必要があり、また無線接続の確立を必要とするデバイスが存在しない可能性も大きいため、無線接続を性向的に確立できなかったＳＴＡをブラックリストに加えることで、次回、該ＳＴＡにより喚起されることを避け、ＡＰの運行消費電力の削減に役立つ。
【００９２】
上述した実施例における装置に関しては、それぞれのモジュールが操作を実行する具体的な方法は既に関連する該方法実施例において詳細な説明を行っており、ここでは繰り返し説明しない。
【００９３】
装置実施例は、基本的に方法の実施例に対応するため、関連するところは方法の実施例の部分的な説明を参考にすることができる。以上、説明した装置実施例は例示的なものに過ぎず、ここで分離できるパーツとして説明された前記ユニットは、物理的に分離できるものであってもなくてもよい。ユニットとして表示されたパーツは物理的なユニットであってもなくてもよい。即ち、一か所に位置することが可能で、または複数のネットワークユニットに分布されていてもよい。実際のニーズに基づいて、その中の部分または全部のモジュールを選択して本発明の方案の目的を実現することができる。当業者は創造的な労働を経ずに、理解し実施することができる。
【００９４】
上記に対応して、本発明は更に信号伝送制御装置を提供し、プロセッサと、プロセッサにより実行可能な指令を記憶するためのメモリとを備える。ここで前記プロセッサは、無線接続の確立を要求する端末が存在するか否かを検出し、存在しない場合、ビーコンフレームの送信機能をオフ状態に切り替え、かつ、プローブ要求フレームに対する受信を維持するように構成される。
【００９５】
また、上記に対応して、本発明は更に端末を提供し、前記端末は、メモリ及びメモリに記憶された一つまたは一つ以上のプログラムを含んでおり、かつ、一つまたは一つ以上のプロセッサによって、無線接続の確立を要求する端末が存在するか否かを検出し、存在しない場合はビーコンフレームの送信機能をオフ状態に切り替え、かつ、プローブ要求フレームに対する受信を維持するための指令を含む前記一つまたは一つ以上のプログラムを実行するように構成される。
【００９６】
図１１は一つの例示的な実施例にかかる信号伝送制御装置１１００のブロック図である。例えば、装置１１００はＡＰ、無線ルータ、ＡＰ機能を有する移動デバイス（例えばスマートフォンまたはタブレットデバイス等）であってもよい。図１１に示すように、装置１１００は、一つ又は複数のプロセッサを有する処理部材１１２２、及びメモリ１１３２を代表とする記憶装置を備える。該記憶装置は、例えばアプリケーションプログラムのような、処理部材１１２２によって実行される指令を記憶するために使われる。メモリ１１３２に記憶されるアプリケーションプログラムは、一つ又は複数の、それぞれ一組の指令に対応するモジュールを含むことができる。また、処理部材１１２２は指令を実行するように構成され、上記の信号伝送制御方法を実行する。
【００９７】
装置１１００は更に、装置１１００の電源の管理を実行するように構成される電源部材１１２６、装置１１００をネットワークに接続するように構成される一つの有線又は無線ネットワークインターフェース１１５０及び一つの入力／出力（Ｉ／Ｏ）インタフェース１１５８を備える。装置１１００はメモリ１１３２に記憶されたオペレーティングシステムに基づいて動作することができる。
【００９８】
当業者は明細書を検討し、ここで開示した発明を実践した後、本発明のその他の実施方案を容易に思いつくことができる。本願は本発明の全ての変更、用途又は適応性の変化を含む。これらの変更、用途又は適応性の変化は本発明の一般的な原理に従っており、本発明に未開示の本技術分野における周知技術又は慣用技術手段を含む。明細書及び実施例は例示的なものに過ぎず、本発明の真の範囲及び主旨は以下の特許請求の範囲によって示される。
【００９９】
本発明は、上記で説明した、また図面において示した寸分違わぬ構成に限定されず、その範囲を逸脱しない前提のもとで種々の変更及び修正を行うことができることを理解すべきである。本発明の範囲は付された特許請求の範囲によってのみ限定される。
【手続補正２】
【補正対象書類名】特許請求の範囲
【補正対象項目名】全文
【補正方法】変更
【補正の内容】
【特許請求の範囲】
【請求項１】
無線接続の確立を要求する端末が存在するか否かを検出するステップと、
存在しない場合、ビーコンフレームの送信機能をオフ状態に切り替え、かつ、プローブ要求フレームに対する受信を維持するステップとを含むことを特徴とする信号伝送制御方法。
【請求項２】
前記無線接続の確立を要求する端末が存在するか否かを検出するステップには、
予定時間の長さの連続する時間帯内において、無線接続の確立を要求する端末が存在するか否かを検出するステップが含まれることを特徴とする請求項１に記載の信号伝送制御方法。
【請求項３】
前記方法は更に、
前記プローブ要求フレームを受信したとき、前記プローブ要求フレームを送信する送信端末と無線接続を確立したことがあるか否かを判断するステップと、
確立したことがある場合、前記送信機能をオンの状態に切り替えるステップとを含むことを特徴とする請求項１に記載の信号伝送制御方法。
【請求項４】
前記プローブ要求フレームを送信する送信端末と無線接続を確立したことがあるか否かを判断するステップには、
前記プローブ要求フレームを送信する送信端末の識別情報を取得するステップと、
予め設定された履歴データベースの中から、前記送信端末の識別情報とマッチングする過去の接続デバイスが存在するか否かを検索するステップと、
存在する場合、無線接続を確立したことがあると判定するステップが含まれることを特徴とする請求項３に記載の信号伝送制御方法。
【請求項５】
前記方法は更に、
確立したことがない場合、前記送信端末からプローブ要求フレームを受信した累計回数を記録するステップと、
前記累計回数が予定回数以上である場合、前記送信機能をオンの状態に切り替えるステップを含むことを特徴とする請求項３に記載の信号伝送制御方法。
【請求項６】
前記方法は更に、
前記送信端末と無線接続を確立したことがないとき、今回前記送信端末との無線接続を確立する動作が失敗した場合、前記送信端末の識別情報を予め設定されたブラックリストに加えるステップを含み、
前記送信機能の状態を切り替える動作は、受信した前記ブラックリストにマッチングする端末のプローブ要求フレームとは関係ないことを特徴とする請求項５に記載の信号伝送制御方法。
【請求項７】
無線接続の確立を要求する端末が存在するか否かを検出するための検出ユニットと、
検出した結果、存在しない場合、ビーコンフレームの送信機能をオフ状態に切り替え、かつ、プローブ要求フレームに対する受信を維持するための処理ユニットとを備えることを特徴とする信号伝送制御装置。
【請求項８】
前記検出ユニットは、
予定時間の長さの連続する時間帯内において、無線接続の確立を要求する端末が存在するか否かを検出するための検出サブユニットを有することを特徴とする請求項７に記載の信号伝送制御装置。
【請求項９】
前記装置は更に、
前記プローブ要求フレームを受信したとき、前記プローブ要求フレームを送信する送信端末と無線接続を確立したことがあるか否かを判断するための判断ユニットと、
判断した結果、確立したことがある場合、前記送信機能をオンの状態に切り替えるための第１切り替えユニットとを備えることを特徴とする請求項７に記載の信号伝送制御装置。
【請求項１０】
前記判断ユニットは、
前記プローブ要求フレームを送信する送信端末の識別情報を取得するための取得サブユニットと、
予め設定された履歴データベースの中から、前記送信端末の識別情報とマッチングする過去の接続デバイスが存在したか否かを検索するための検索サブユニットとを有し、
存在する場合、無線接続を確立したことがあると判定することを特徴とする請求項９に記載の信号伝送制御装置。
【請求項１１】
前記装置は更に、
前記判断した結果、確立したことがない場合、前記送信端末からプローブ要求フレームを受信した累計回数を記録するための記録ユニットと、
前記累計回数が予定回数以上である場合、前記送信機能をオンの状態に切り替えるための第２切り替えユニットとを備えることを特徴とする請求項９に記載の信号伝送制御装置。
【請求項１２】
前記装置は更に、
前記送信端末と無線接続を確立したことがないとき、今回前記送信端末との無線接続を確立する動作が失敗した場合、前記送信端末の識別情報を予め設定されたブラックリストに加えるための追加ユニットを備え、
前記送信機能の状態を切り替える動作は、受信した前記ブラックリストにマッチングする端末のプローブ要求フレームとは関係ないことを特徴とする請求項１１に記載の信号伝送制御装置。
【請求項１３】
プロセッサと、
プロセッサが実行可能な指令を記憶するためのメモリとを備え、
前記プロセッサは、
無線接続の確立を要求する端末が存在するか否かを検出し、
存在しない場合、ビーコンフレームの送信機能をオフ状態に切り替え、かつ、プローブ要求フレームに対する受信を維持するように構成されることを特徴とする電子デバイス。
【請求項１４】
プロセッサに実行されることにより、請求項１から請求項６のいずれかに記載の信号
伝送制御方法を実現する記録媒体に記録されたプログラム。
【請求項１５】
請求項１４に記載のプログラムが記録された記録媒体。
【国際調査報告】
2016536950.tif 000014
2016536950.tif 000015
2016536950.tif 000016
2016536950.tif 000017